(57)【要約】【課題】雇用保険手続きに必要な大きさの異なる書類・カード類を機能的に収納、且つ失業認定申告書に記載されている失業認定日時を収納したまま容易に視認できるようにした就職活動用に特化したクリアファイルを提供する。【解決手段】上辺部と左右いずれかの側辺部に連続する開口部より書類を収納できるようにしたクリアファイルにおいて、当該クリアファイルの表側シート面の四隅のいずれか、現在は最左下部に横置きにした名刺大のスペースを除いた面に、名刺サイズの名刺またはカード類が入るポケットとハガキ大またはＡ５サイズの書類等が入るポケットを配置付着した。【選択図】図１
2012144032.tif 000002
【特許請求の範囲】
【請求項１】
上辺部と左右いずれかの側辺部に連続する開口部より書類を収納できるようにしたクリアファイルにおいて、当該クリアファイルの表側シート面の四隅のいずれかに横置きにした名刺大のスペースを除いた面に、名刺サイズの名刺またはカード類が入るポケットとハガキ大またはＡ５サイズの書類等が入るポケットを配置付着したことを特徴とした就職活動用クリアファイル。
【請求項２】
右辺部が開口している請求項１のクリアファイルと左辺部が開口しているクリアファイルの裏側シートの右側辺部と左側辺部を合わせ一体化させ、見開きタイプ仕様としたことを特徴とした就職活動用クリアファイル。
【請求項３】
請求項２記載のクリアファイルにおいて、右側のクリアファイルの表側シート面に名刺サイズの名刺またはカード類が入るポケットを１つまたは複数配置付着したことを特徴とした就職活動用クリアファイル。
【発明の詳細な説明】
【技術分野】
【０００１】就職活動に際し、必要な書類等の機能的な収納を可能としたクリアファイルおよびその仕様に関する。
【背景技術】
【０００２】就職活動に際し、ハローワーク（職業安定所）等で必要な書類等をクリアファイルに収納するときに、Ａ４サイズだけではなく名刺大やハガキ大のカード類、ときにはＡ５サイズの書類等も混在し不便さを感じることがある。
【発明の開示】
【発明が解決しようとする課題】
【０００３】本発明は、前記背景技術の不便さを解消すべく、クリアファイルの表側シート面に大きさの異なるポケットを複数配置付着させ、Ａ４サイズ以外の名刺大やハガキ大、Ａ５サイズのカード類・書類等を容易に収納且つ視認できるようにした。【０００４】また、上記ポケットを当該クリアファイルの表側シート面の四隅のいずれか、現在は失業認定申告書の書式の関係で左下部の左辺および下辺に接し横置きにした名刺大のスペースを除いた面に配置付着したことにより前記空きスペース面に、前記クリアファイル内に収納した書類の最上部位に当該失業認定申告書を置くことで、前記失業認定申告書の最左下部に記載されている重要な失業認定の日時が透明な前記表側シートを透し容易に視認できるようにした。
【課題を解決するための手段】
【０００５】請求項１の発明は、上辺部と左右いずれかの側辺部に連続する開口部より書類を収納できるようにしたクリアファイルにおいて、当該クリアファイルの表側シート面の四隅のいずれかに横置きにした名刺大のスペースを除いた面に、名刺サイズの名刺またはカード類が入るポケットとハガキ大またはＡ５サイズの書類等が入るポケットを配置付着したことを特徴とした就職活動用クリアファイル。【０００６】請求項２の発明は、右辺部が開口している請求項１のクリアファイルと左辺部が開口しているクリアファイルの裏側シートの左側辺部と右側辺部を合わせ一体化させ、見開きタイプ仕様としたことを特徴とした就職活動用クリアファイル。【０００７】請求項３の発明は、請求項２記載のクリアファイルにおいて、右側のファイルの表側シート面に名刺サイズの名刺またはカード類が入るポケットを１つまたは複数配置付着したことを特徴とした就職活動用クリアファイル。
【発明の効果】
【０００８】本発明によれば、つまり、クリアファイルの表側シート面に大きさの異なるポケットを複数配置付着させ、Ａ４サイズ以外の名刺大やハガキ大、Ａ５サイズのカード類・書類等を容易に収納且つ視認できるようにした。【０００９】また、上記ポケットを当該クリアファイルの表側シート面の四隅のいずれか、現在は失業認定申告書の書式の関係で左下部の左辺および下辺に接し横置きにした名刺大のスペースを除いた面に配置付着したことにより、前記空きスペース面に前記クリアファイル内に収納した書類の最上部位に当該失業認定申告書を置くことで、前記失業認定申告書の最左下部に記載されている重要な失業認定の日時が透明な表側シートを透し容易に視認できるようにした。【００１０】名刺サイズの名刺またはカード類が入るポケットとハガキ大またはＡ５サイズの書類等が入るポケットのそれぞれの配置については使い勝手等を考慮し、名刺サイズの名刺またはカード類が入るポケットは表側シート面の右下部に、ハガキ大またはＡ５サイズの書類等が入るポケットは表側シート面の左下部の左辺および下辺に接し横置きにした名刺大の空きスペースの上部に配置する。
【発明を実施するための最良の形態】
【実施例１】
【００１１】次に、本発明の就職活動用クリアファイルの実施態様を説明する。【００１２】図１は、本発明の請求項１の就職活動用クリアファイルの仕様概要図である。【００１３】一般に失業した際に、多くの失業者は職業安定所（ハローワーク）で失業給付手続きを行い、その際に以下のようなカード類や書類等が手渡される。【００１４】（１）失業認定申告書
書類の大きさはＡ４サイズ。失業給付を受給する際に提出する書類で、予め失業認定の日時が記載されていて、求職者が失業中の就職活動の内容等を記録する。【００１５】（２）雇用保険受給資格者証
書類のサイズはＡ４サイズ。失業給付額や支給日数等およびハローワークでの活動記録等が記載されていく。【００１６】（３）ハローワークカード
書類のサイズはハガキまたは名刺大でカードまたはカードサイズの場合もある。求職者がハローワークにて就職相談や職業紹介を受ける際には必ず提示しなければならない。【００１７】就職活動用クリアファイル内に表面を上に向けた失業認定申告書を最上位に、その下位に他の雇用保険受給資格者証等の書類を収納する。上記収納方法をとることにより、前記失業認定申告書の最左下部に記載されている重要な雇用保険の失業認定の日時４が透明な表側シートを透し容易に視認できるようになる。【００１８】現在、前記日時が記載（印字）されている部位は最左下部であるが、将来的に書式の変更等で当該記載（印字）部位が当該クリアファイルの表側シート面１の四隅の最左下部以外の他の部位となった場合は、名刺サイズの名刺またはカード類が入るポケット３とハガキ大またはＡ５サイズの書類等が入るポケット２は前記スペースを除いた部位に配置付着させるものとする。【００１９】ハガキ大またはＡ５サイズの書類等が入るポケット２にはハローワークカード等を、名刺サイズの名刺またはカード類が入るポケット３には担当者等の名刺やカード類を入れる。【００２０】尚、ハローワークカードが名刺大の場合は名刺サイズの名刺またはカード類が入るポケット３に入れても良い。
【実施例２】
【００２１】次に、本発明の就職活動用クリアファイルの別の態様を説明する。【００２２】図２は、本発明の請求項２の就職活動用クリアファイルの仕様概要図である。【００２３】請求項１の就職活動用クリアファイルの右側にクリアファイル５を並べ、２つあるクリアファイルの裏側シートの右側辺部６と左側辺部７を合わせ一体化させ見開きタイプ仕様とした。右側のクリアファイル５の収納部には、就職活動で必要な他の書類（求人票等）を入れても良い。
【実施例３】
【００２４】次に、本発明の就職活動用クリアファイルのさらに別の態様を説明する。【００２５】図３は、本発明の請求項３の就職活動用クリアファイルの仕様概要図である。【００２６】ハローワークにて就職相談や職業紹介を複数回に渡って受ける際に担当者から名刺を受け取る場合があるため、それら名刺の収納および管理用として前記請求項２の就職活動用クリアファイルの右側のクリアファイル５の表側シート面１に名刺サイズの名刺またはカード類が入るポケット３を１つまたは複数配置付着させることで、より機能的にした。【００２７】尚、請求項２または請求項３の就職活動用クリアファイルにクリアファイルを降順に１つ以上装着させても良い。（図示せず）
【図面の簡単な説明】
【００２８】
【図１】本発明の請求項１の就職活動用クリアファイルの仕様概要図である。
【図２】本発明の請求項２の就職活動用クリアファイルの仕様概要図である。
【図３】本発明の請求項３の就職活動用クリアファイルの仕様概要図である。
【符号の説明】
【００２９】１  表側シート面
２  ハガキ大またはＡ５サイズの書類等が入るポケット
３  名刺サイズの名刺またはカード類が入るポケット
４  雇用保険の失業認定の日時
５  クリアファイル
６  右側辺部
７  左側辺部
【図１】
2012144032.tif 000003
【図２】
2012144032.tif 000004
【図３】
2012144032.tif 000005